(57)【要約】【課題】従来の技術では、再生水管に設けられた再生水弁閉と、スカム排出管に設けられたスカム排出弁開で、第２層１１，第３層１２に蓄積したスカムを排出するとともに、長期間停止時に生じる水質が悪化した水を排出するが、反応槽１０内の水質が悪化した水を全て排出することは不可能である。【解決手段】オゾンマイクロバブルを利用した下水再生装置の第２槽１１，第３槽１２にスカムボックス８を設け、スカムボックス８に繋がるスカム排出管１３にスイベルジョイント９を取り付けることで可動式とし、反応槽上部にロープ巻上げ装置６を設けて、ＳＵＳロープ７を用いてスカムボックス８を稼動させ、スカム排出管１３よりスカムを排出するとともに、スカムボックスを上下に可動させることで、長期間停止した時に生じる水質が悪化した水を排出することができる可動式スカムボックス及びそれを具備した下水再生装置を提供する。【選択図】  図２
2010260017.tif 000002
【特許請求の範囲】
【請求項１】
オゾン発生装置により発生されたオゾンを循環ポンプにより圧力をかけて被処理水に溶解し、流路を狭めて圧力を変化させることにより形成されたマイクロバブルが放出される反応槽と、該反応槽内に設けられたスカムボックスと、該スカムボックスを上下させるスカムボックス上下駆動装置と、前記スカムボックスの下部に複数のスイベルジョイントで接続されたスカム排出管を備えた下水再生装置。
【請求項２】
前記複数のスイベルジョイントが前記スカムボックスの下部と、前記反応槽の底部と、前記スカムボックスの下部と前記反応槽の底部との中間の前記スカム排出管に設けられた請求項１に記載の下水再生装置。
【請求項３】
前記スイベルジョイントは、内部が空洞で、回転，上下，左右，前後の任意の方向に移動可能である請求項１又は２に記載の下水再生装置。
【請求項４】
前記スカムボックス上下駆動装置は、スカムボックスを吊り下げるＳＵＳロープと、該ＳＵＳロープを上下動させるロープ巻上げ装置である請求項１又は２に記載の下水再生装置。
【請求項５】
マイクロバルブが注入される反応槽内に設置され、上面側が開放され、下部に複数のスイベルジョイントで接続されたスカム排出管を具備したスカムボックス上下駆動装置により上下動される可動式スカムボックス。
【請求項６】
前記複数のスイベルジョイントが前記スカムボックスの下部と、前記反応槽の底部と、前記スカムボックスの下部と前記反応槽の底部との中間の前記スカム排出管に設けられた請求項５に記載の可動式スカムボックス。
【発明の詳細な説明】
【技術分野】
【０００１】
本発明は、可動式スカムボックス及びそれを具備した下水再生装置に関する。
【背景技術】
【０００２】
従来の技術としては、〔特許文献１〕に記載のように、液面に浮上したスカムを回収する吸引管を上下させることでスカムを排水するものがある。又、〔特許文献２〕に記載のように、先端部にスカムを排出する排出口を設け、上部にスカムを取り入れる取入口を設けた内部が空洞のスカム隙間によりスカムを排出するものがある。
【０００３】
この他、従来のオゾンマイクロバブルを利用した下水再生装置では、スカムボックスを固定し、再生水排出管に設けられた再生水弁閉により反応槽の水位を上昇させ、その落差を利用することでスカム排水管を通り場外へスカムを排出するものがある。
【先行技術文献】
【特許文献】
【０００４】
【特許文献２】特開平５−５７３２９号公報
【特許文献３】特開平６−９１２５９号公報
【発明の概要】
【発明が解決しようとする課題】
【０００５】
長期間、オゾンマイクロバブルを利用した下水再生装置の運転を停止する時には、反応槽内にオゾンマイクロバブルが供給されない状態となり、反応槽内に溜まった水の水質が悪化するため、再生処理を再開する前に水質が悪化した水を排出させる必要がある。
【０００６】
〔特許文献１〕に記載の従来の技術は、液面に浮上したスカムを回収する吸引管を上下させる構成であるため、又、〔特許文献２〕に記載の従来の技術は、先端部にスカムを排出する排出口を設ける構造であるので、水質が悪化した水を排出することができないという問題がある。
【０００７】
また、上述した他の従来の技術では、再生水管に設けられた再生水弁と、スカム排出管に設けられたスカム排出弁を用い、長期間下水再生装置が停止した時に生じる水質が悪化した水の排出時に、再生水弁を閉じ同時にスカム排出弁を開いて水質が悪化した水を排出するが、全て排出することはできないという問題がある。
【０００８】
本発明の目的は、スカムの排出作業と下水再生装置を長期間停止した後に、反応槽内部の水質が悪化した水を排出することができる可動式スカムボックス及びそれを具備した下水再生装置を提供することにある。
【課題を解決するための手段】
【０００９】
上記目的を達成するために、本発明は、オゾンマイクロバブル下水再生装置の反応槽内に設けられるスカムボックスを上下に可動させ、スカムの排出作業と長期停止後の再起動前に水質が悪化した水を排出するものである。
【発明の効果】
【００１０】
本発明によれば、水面上に浮上したスカムを排出するとともに下水再生装置を長期間運転停止した時に、可動式スカムボックスを上下に稼動させ、反応槽内部の残留汚水を排出することで、下水再生処理の信頼性を向上させることができる。
【図面の簡単な説明】
【００１１】
【図１】本発明の一実施例であるオゾンマイクロバブルを利用した下水再生装置の構成図である。
【図２】図１の矢視Ａ−Ａ断面図である。
【発明を実施するための形態】
【００１２】
本発明の一実施例であるオゾンマイクロバブルを利用した下水再生装置について図１，図２により説明する。図１は、オゾンマイクロバブルを利用した下水再生装置の構成図である。図２は、図１の矢視Ａ−Ａ断面図である。
【００１３】
図１に示すように、反応槽１０は第１層から第４層の４つに区分けされており、第１層１７，第２層１１，第３層１２，第４層１８で構成されている。第１層１７には上部に被処理水の取入口が設けられ、底部に第１層１７内の被処理水の一部を循環させるための取水口が設けられている。反応槽１０の上部には蓋が設けられ、オゾンがそのまま大気に放出されないようになっている。
【００１４】
第１層１７と第２層１１とは、下部に隙間を有する仕切り部３０で区切られ、第２層１１と第３層１２とは、上部に隙間を有する仕切り部３１で区切られ、第３層１２と第４層１８とは、下部に隙間を有する仕切り部３２で区切られている。第２層１１と第３層１２には可動式スカムボックス８が設置されている。
【００１５】
第１層１７の底部の取水口には配管２０が取り付けられ、配管２０は循環ポンプ５に接続されている。循環ポンプ５は、配管２１により気水分離タンク３に接続されている。気水分離タンク３の上部は配管２２によりバッファタンク４に接続され、気水分離タンク３の側部は、配管２５により第１層１７の側壁に接続されている。バッファタンク４は、配管２４により第１層１７の側壁に接続される一方、配管２３により配管２０に接続されている。
【００１６】
オゾン発生装置１は、配管２６によりオゾン流量と濃度を計測するオゾン流量・濃度計盤２に接続されている。オゾン流量・濃度計盤２は配管２７により配管２０に接続されている。
【００１７】
第２層１１と第３層１２の上部にはロープ巻上げ装置６が設置され、スカムボックス８に接続されたＳＵＳロープ７を巻上げたり，下げたりするようになっている。スカムボックス８の上部は開放されており、上部からスカムを取り込み、下方に移動させるようになっている。スカムボックス８の下部には３つのスイベルジョイント９により屈折可能なようにスカム排出管３５が取り付けられ、反応槽１０内の下部に設けられたスカム排出管１３を連通している。又、反応槽１０の下方には被処理水の排出管２８が設置されている。
【００１８】
スカムボックス８は、第２層１１，第３層１２の被処理水の水面に対応してロープ巻上げ装置６を駆動して上端位置が制御される。ここでは、ロープ巻上げ装置６で説明したが、スカムボックス８を上下動させる装置であればよく、これらを含めてスカムボックス上下駆動装置と言う。
【００１９】
反応槽１０の上部は配管２９により、排出管２８は配管１９により排オゾン濃度計盤１４に接続され、反応槽１０の上部、排出管２８の排オゾン濃度が計測される。排オゾン濃度計盤１４は排オゾン分解筒１５に接続され、排オゾンが分解され、無害となった気体は排気ファン１６により大気に排気される。
【００２０】
このように構成されているので、第１層１７に流入した被処理水の一部は、第１層１７の底部の取水口から循環ポンプ５により循環され、配管２０でオゾン発生装置１で発生したオゾンと混合され、気水分離タンク３に導入される。被処理水と混合したオゾンは、循環ポンプ５により圧力をかけることにより被処理水に溶解され、その後、流路を狭めて圧力を変化させることにより、マイクロバブルが形成されるので、第１層１７へはオゾンマイクロバブルが放出される。
【００２１】
オゾン流量・濃度計盤２を設けているので、オゾン発生装置１で発生したオゾンの流量と濃度が適切か否かを確認することができる。又、気水分離タンク３を設けているので、被処理水に溶け込むことができなかったオゾンを回収し、バッファタンク４で一時的に中継させてオゾンと水分を分離し、オゾンを循環ラインである配管２０に再注入することで、オゾンの利用効率を高めている。
【００２２】
反応槽１０の第１層でオゾンマイクロバブルが注入され、被処理水が、第２層１１，第３層１２，第４層１８と移動するにつれて浄化される。第４層１８の上部には再生水管３５が接続されており、第４層１８の上部から再生水管３５を通して再生水として配水する。
【００２３】
反応槽１０には被処理水から放出された排オゾンが含まれており、未処理のまま外部へ排気するのは人体に有害であるため、排オゾン分解筒１５に導いて分解処理し、排気ファン１６で外部へ排気する。このとき、排オゾン濃度計盤で排オゾンの濃度を確認することができる。
【００２４】
第２層１１，第３層１２にスカムが蓄積するため、上述したように、第２層１１，第３層１２内に、スカムボックス８が設置されている。スイベルジョイント９は、内部が空洞であり回転，上下，左右，前後の任意の方向に移動可能なジョイントであり、スカムボックス８の底部と、反応槽の底部と、その中間の３箇所に設けているので、スカム排出管３５をくの字状に曲げることができ、スカムボックス８の上端位置を水面に応じて制御することができる。
【００２５】
図１に示すように、水面が上の方にある場合は、ロープ巻上げ装置６でＳＵＳロープ７を巻上げて、スカム排出管３５を直線状にし、液面に溜まったスカムを排出する。水面が低下した場合は、ロープ巻上げ装置６でＳＵＳロープ７を下げて、スカム排出管３５をくの字状に曲げ、スカムボックス８の上端が水面より下になるように制御することで、液面に溜まったスカムを排出することができる。
【００２６】
また、下水再生装置を長期の間運転停止した時は、ロープ巻上げ装置６によりＳＵＳロープ７を巻下げスカムボックスを下降させることにより、液面に溜まったスカムを排出しながら、スカム排出管１３から反応槽１０内の水質が悪化した水を排出することができる。スカムボックス８を下降させる速度は、水面より設定された深さに制御して、排出速度を上げることができる。
【００２７】
下水再生装置を長期の間運転停止する時には、反応槽内にオゾンが供給されない状態となり反応槽内の水の水質が悪化するため、再生処理を再開する前に水質が悪化した水を排出させる必要がある。従来の技術では、再生水管に設けられた再生水弁と、スカム排出管に設けられたスカム排出弁を用い、下水再生装置が長期間停止した時に生じる水質が悪化した水を排出する時、再生水弁を閉じ、同時にスカム排出弁を開くことで排出するが、反応槽内の水質が悪化した水を全て排出することは不可能であったが、本実施例によれば、可動式スカムボックスを上下に稼動させ、反応槽内部の水質が悪化した水を全て排出でき、下水再生処理の信頼性を向上させることができる。
【００２８】
又、スカムボックスを可動式にすることにより、再生水弁，スカム排出弁が不要となる。
【産業上の利用可能性】
【００２９】
下水処理の段階で発生した液面浮上スカムを回収する装置に利用可能性がある。
【符号の説明】
【００３０】
１  オゾン発生装置
２  オゾン流量・濃度計盤
３  気水分離タンク
４  バッファタンク
５  循環ポンプ
６  ロープ巻上げ装置
７  ＳＵＳロープ
８  スカムボックス
９  スイベルジョイント
１０  反応槽
１１  第２層
１２  第３層
１３  スカム排出管
１４  排オゾン濃度計盤
１５  排オゾン分解筒
１６  排気ファン
【図１】
2010260017.tif 000003
【図２】
2010260017.tif 000004